(57)【要約】【課題】弾き部材を用いなく、廃棄時に分離可能な傘の骨組を提供する。【解決手段】中棒と、前記中棒の一端近傍に取り付けられ、周縁に等間隔で複数の傘骨スロットが形成される上ろくろ部材と、該上ろくろ部材の上面に取り付けられる上ろくろリングとを有する上ろくろ装置と、前記中棒の他端近傍に取り付けられ、周縁に複数の傘骨スロットが等間隔で配置される下ろくろ部材と、下ろくろ部材に挿設される結合部を有する第一スリーブと、下ろくろ部材を挟持するためのナットと、第一スリーブの内部に挿設され、上端やや大径の下端を有する第二スリーブと、該第二スリーブが嵌入される段差部を有する下ろくろリングとを有する下ろくろ装置と、一端が着脱可能に前記上ろくろ部材の傘骨スロットにそれぞれ枢設される複数の親骨と、一端が着脱可能に下ろくろ部材の傘骨スロットに枢設されると共に、他端が取外し不能に親骨に枢設される複数の受骨とを備える複数の傘骨部材と、を有することを特徴とする。【選択図】図１
0003166355.tif 000002
【実用新案登録請求の範囲】
【請求項１】
滑らかな表面である棒状部材の中棒１と、
前記中棒１の一端近傍に取り付けられ、周縁に等間隔で複数の傘骨スロット２０２が形成される上ろくろ部材２０と、該上ろくろ部材２０の上面に取り付けられる上ろくろリング２１とを有する上ろくろ装置２と、
前記中棒１の他端近傍に取り付けられ、下ろくろ部材３０と、第一スリーブ３１と、ナット３２と、第二スリーブ３３と、下ろくろリング３４とを有する下ろくろ装置３と、
一端が着脱可能に前記上ろくろ部材２０の傘骨スロット２０２にそれぞれ枢設される複数の親骨４０と、一端が着脱可能に下ろくろ部材３０の傘骨スロット３０２に枢設されると共に、他端が取外し不能に親骨４０に枢設される複数の受骨４１とを備える複数の傘骨部材４と、を有し、
前記下ろくろ部材３０は、周縁に等間隔で配置される複数の傘骨スロット３０２を有し、
前記第一スリーブ３１は、周縁に環設される阻止部３１１と、該阻止部３１１の一側面に設けられ、下ろくろ部材３０に挿設される結合部３１２とを有し、
前記ナット３２は、第一スリーブ３１に取り付けられ、下ろくろ部材３０を第一スリーブ３１の阻止部３１１とナット３２との間に挟持するためのものであり、
前記第二スリーブ３３は、第一スリーブ３１の内部に挿設され、上端と、該上端よりやや大径の下端と、外周面に設けられる外ねじ山と周縁に形成される複数の凹入部３３３１とを備える結合部３３３と、を有し、
前記下ろくろリング３４は、第二スリーブ３３の結合部３３３と螺合されると共に、内周面に設けられ、該第二スリーブ３３の結合部３３３の外ねじ山と対応する内ねじ山と、内周面における後端の近傍に形成され、該第二スリーブ３３の結合部３３３が嵌入される段差部３４１と、を有することを特徴とする傘の骨組。
【請求項２】
前記下ろくろ部材３０の内周面における互いに相対する両側に夫々２つの係止溝３０１が形成され、
前記第一スリーブ３１は、２つの係止部３１２１を有し、
前記２つの係止部３１２１は夫々、前記第一スリーブ３１の結合部３１２の外周面における互いに相対する両側にそれぞれ形成されると共に、前記係止溝３０１に嵌入され、その前端近傍にねじ山が形成され、
前記ナット３２は、前記第一スリーブ３１の係止部３１２１に螺合されることを特徴とする請求項１に記載の傘の骨組。
【請求項３】
前記第一スリーブ３１の外周面における阻止部３１１の他方の側面近傍に２つの貫通穴３１３が形成され、
前記第二スリーブ３３の外周面における、前記第一スリーブ３１の貫通穴３１３と対応する位置にそれぞれ、係止ブロック３３２が設けられることおを特徴とする請求項１に記載の傘の骨組。
【請求項４】
前記第一スリーブ３１の内周面に等間隔で４つの嵌合ブロック３１４が凸設され、
前記第二スリーブ３３の上端に等間隔で前記嵌合ブロック３１４を嵌合するための４つの嵌合溝３３１が形成されることを特徴とする請求項１に記載の傘の骨組。
【請求項５】
前記下ろくろ部材３０の各傘骨スロット３０２に、交差状に挿入溝３０２１及び枢設溝３０２２が形成され、
前記挿入溝３０２１は、該下ろくろ部材３０の上端から下端にかけて連通し、
前記枢設溝３０２２は、該下ろくろ部材３０の下端のみ開放状態であり、上端まで連通しないことを特徴とする請求項１に記載の傘の骨組。
【請求項６】
前記上ろくろ部材２０の各傘骨スロット２０２に、交差状に挿入溝２０２１及び枢設溝２０２２が形成され、
前記挿入溝２０２１は、該上ろくろ部材２０の上端から下端にかけて連通し、
前記枢設溝２０２２は、該上ろくろ部材２０の上端のみ開放状態であり、下端まで連通しなく、
前記上ろくろ部材２０の結合部２０１における外周面の相対する位置にそれぞれ２つの係止ブロック２０１１が設けられることを特徴とする請求項１に記載の傘の骨組。
【請求項７】
前記上ろくろリング２１は、上ろくろ部材２０における枢設溝２０２２の上部に環装され、該上ろくろリング２１の内周面における相対する位置に夫々係止溝２１１が形成され、
前記各係止溝２１１は、縦方向に形成されると共に、上ろくろリング２１の下端に連通する縦挿入溝２１０１と、径方向へ伸びると共に、縦挿入溝２１０１に連通され、上ろくろリング２１の下端に連通しない横挿入溝２１０２とを有することを特徴とする請求項１に記載の傘の骨組。
【請求項８】
前記各傘骨部材４の親骨４０は、第一枢設部４０１と、第二枢設部４０２とを有し、
前記第一枢設部４０１は、親骨４０の一端に設けられると共に、上ろくろ部材２０の挿入溝２０２１に挿設され、前記上ろくろ部材２０の枢設溝２０２２に枢軸４０１１が枢設され、
該第二枢設部４０２は、親骨４０の外周面に設けられ、夫々１つの枢設穴４０２２を備える２つの枢設プレート４０２１を有することを特徴とする請求項６に記載の傘の骨組。
【請求項９】
前記各傘骨部材４の受骨４１は、第一枢設部４１１と、第二枢設部４１２とを有し、
前記第一枢設部４１１は、受骨４１の一端に設けられると共に、下ろくろ部材３０の挿入溝３０２１に挿設され、該下ろくろ部材３０の枢設溝３０２２に枢軸４１１１が枢設され、
前記第二枢設部４１２は、受骨４１の他端に設けられると共に、枢軸４１２１を有し、
該枢軸４１２１は、前記親骨４０の枢設プレート４０２１の枢設穴４０２２に枢設されることを特徴とする請求項６に記載の傘の骨組。
【請求項１０】
前記上ろくろ部材２０は、中棒１に取り付けられると共に、該上ろくろ部材２０の底面にゴムリング２２が設置されることを特徴とする請求項１ないし請求項９のいずれか１項に記載の傘の骨組。
【請求項１１】
前記上ろくろ部材２０は、中棒１に取り付けられると共に、前記ゴムリング２２の一側に嵌合スリーブ１０が当接されることを特徴とする請求項１０に記載の傘の骨組。
【請求項１２】
前記中棒１の内部における上端に、当接部材１１０を有する連接ロッド１１が着脱可能に挿設され、
前記当接部材１１０は、外周面から径方向に延出するものであり、前記上ろくろリング２１に当接されることを特徴とする請求項１ないし請求項９のいずれか１項に記載の傘の骨組。
【請求項１３】
検針機をパスできる全体が非金属材料からなることを特徴とする請求項１ないし請求項１２のいずれか１項に記載の傘の骨組。
【請求項１４】
全体が可燃材料からなることを特徴とする請求項１ないし請求項１３のいずれか１項に記載の傘の骨組。
【考案の詳細な説明】
【技術分野】
【０００１】
本考案は、特に弾き部材を用いなく、廃棄時に分離可能な傘の骨組に関するものである。
【背景技術】
【０００２】
従来の傘は、中棒と、中棒の上端の近傍に取り付けられる上ろくろ装置と、褶動可能に中棒に取り付けられる下ろくろ装置と、上ろくろ装置と下ろくろ装置との間に設置される複数の傘骨部材とを有する。前記上ろくろ装置並びに下ろくろ装置は、夫々、複数の傘骨スロットと、複数の傘骨スロットに枢設される前記複数の傘骨部材を束ねるための針金部材と、傘骨スロットに形成される、該針金部材を嵌入させるための嵌入孔とを有する。
【０００３】
前記中棒は中空な管状部材であり、中棒の内部には、局部が中棒の外部へ突出したり、内部に忍び込んだりすることができる、伸縮可能な上弾き部材と下弾き部材とが取り付けられる。傘を開けるためには、使用者は先ず下弾き部材を中棒の内部へ押圧し、下ろくろ装置が通過する時に押圧された上弾き部材の上まで下ろくろ装置を褶動させると、該上弾き部材のが局部が中棒の外部へ突出するので、下ろくろ装置を下へ褶動させないように固定することができる。
【０００４】
従来の技術において、中棒、及びその内部に取り付けられる上弾き部材、下弾き部材が金屬で製造されたものであるが、石付き、及び取っ手、上ろくろ装置、下ろくろ装置がプラスチックで、傘骨部材がガラス繊維で製造されるものである。
【考案の概要】
【考案が解決しようとする課題】
【０００５】
しかしながら、環境保護の規定に基づくリサイクルを行うために、廃棄された傘を分解しなくてはならないが、上述した多様な材料からなる構造の従来の傘における分解作業は非常にし難かった。
【０００６】
また、従来の傘における金属製の中棒及び上弾き部材、下弾き部材の製造は、エネルギーと材料を大量に消費する二次加工を要する、省エネルギー化及び環境保護の方針に反するものであった。
【０００７】
そこで、考案されたのが本考案であって、弾き部材を用いなく、廃棄時に分離可能な傘の骨組を提供することを目的としている。
【課題を解決するための手段】
【０００８】
本願の請求項１の考案は、滑らかなな表面である棒状部材である中棒１と、
中棒１の一端における近傍に取り付けられ、周縁に等間隔で配置される複数の傘骨スロット２０２を有する上ろくろ部材２０と、上ろくろ部材２０の上面に取り付けられる上ろくろリング２１と、を有する上ろくろ装置２と、
中棒１のもう一端における近傍に取り付けられ、下ろくろ部材３０と、第一スリーブ３１と、ナット３２と、第二スリーブ３３と、下ろくろリング３４と、を有する下ろくろ装置３と、
夫々、一端が着脱可能に上ろくろ部材２０の傘骨スロット２０２に枢設される複数の親骨４０と、一端が着脱可能に下ろくろ部材３０の傘骨スロット３０２に枢設されると共に、もう一端が取外不能に親骨４０に枢設される複数の受骨４１と、を有する複数の傘骨部材４と、を有し、
前記下ろくろ部材３０は、周縁に等間隔で配置される複数の傘骨スロット３０２を有するものであり、
前記第一スリーブ３１は、周縁に環設される阻止部３１１と、該阻止部３１１の一側面に設けられる、下ろくろ部材３０に挿設される結合部３１２とを有するものであり、
前記ナット３２は、第一スリーブ３１に取り付けられ、下ろくろ部材３０を第一スリーブ３１の阻止部３１１とナット３２との間に挟持するためのものであり、
前記第二スリーブ３３は、第一スリーブ３１の内部に挿設され、上端と、該上端よりやや大径な下端と、外周面に設けられる外ねじ山と周縁に形成される複数の凹入部３３３１とを有する結合部３３３と、を有するものであり、
前記下ろくろリング３４は、第二スリーブ３３の結合部３３３を螺入させ、内周面に設けられる、第二スリーブ３３の結合部３３３の外ねじ山と螺合されるための内ねじ山と、内周面における後端の近傍に形成される、第二スリーブ３３の結合部３３３を嵌入させるための段差部３４１とを有するものである傘の骨組、を提供する。
【０００９】
本願の請求項２の考案は、前記下ろくろ部材３０は、下ろくろ部材３０の内周面における互いに対向する両側に夫々形成される２つの係止溝３０１を有し、
前記第一スリーブ３１は、２つの係止部３１２１を有し、
該２つの係止部３１２１は、夫々、第一スリーブ３１の結合部３１２の外周面における互いに対向する両側に形成されると共に、前記係止溝３０１に嵌入され、前端の近傍に形成されるねじ山を有し、
前記ナット３２は、前記第一スリーブ３１の係止部３１２１に螺合される請求項１に記載の傘の骨組、を提供する。
【００１０】
本願の請求項３の考案は、前記第一スリーブ３１は、該第一スリーブ３１の外周面における阻止部３１１のもう一側面の近傍に設けられる２つの貫通穴３１３を有し、
前記第二スリーブ３３は、該第二スリーブ３３の外周面に設けられる、夫々前記第一スリーブ３１の貫通穴３１３に挿設される２つの係止ブロック３３２を有する請求項１に記載の傘の骨組、を提供する。
【００１１】
本願の請求項４の考案は、前記第一スリーブ３１は、該第一スリーブ３１の内周面に等間隔で凸設される４つの嵌合ブロック３１４を有し、
前記第二スリーブ３３は、該第二スリーブ３３の上端に等間隔で設けられる、夫々前記嵌合ブロック３１４を嵌合させるための４つの嵌合溝３３１を有する請求項１に記載の傘の骨組、を提供する。
【００１２】
本願の請求項５の考案は、前記下ろくろ部材３０の各傘骨スロット３０２は、交叉に配置される挿入溝３０２１と枢設溝３０２２とを有し、
前記挿入溝３０２１は、該下ろくろ部材３０の上端と下端とに連通されるものであり、
前記枢設溝３０２２は、該下ろくろ部材３０の下端に連通されるが、上端に連通されないものである請求項１に記載の傘の骨組、を提供する。
【００１３】
本願の請求項６の考案は、前記上ろくろ部材２０の各傘骨スロット２０２は、交叉に配置される挿入溝２０２１と枢設溝２０２２とを有し、
前記挿入溝２０２１は、該上ろくろ部材２０の上端と下端とに連通されるものであり、
前記枢設溝２０２２は、該上ろくろ部材２０の上端に連通されるが、下端に連通されないものであり、
前記上ろくろ部材２０は、該上ろくろ部材２０の結合部２０１における外周面における対向する両側に夫々形成される２つの係止ブロック２０１１を有する前記る請求項１に記載の傘の骨組、を提供する。
【００１４】
本願の請求項７の考案は、前記上ろくろリング２１は、上ろくろ部材２０が枢設溝２０２２の上部を被覆し、該上ろくろリング２１の内周面における互いに対向する両側に夫々凹設される２つの係止溝２１１を有し、
各前記係止溝２１１は、縦方向へ延出されると共に、上ろくろリング２１の下端に連通される縦挿入溝２１０１と、径方向へ延出されると共に、縦挿入溝２１０１に連通されるが、上ろくろリング２１の下端に連通されない横挿入溝２１０２と、を有する請求項１に記載の傘の骨組、を提供する。
【００１５】
本願の請求項８の考案は、各傘骨部材４の親骨４０は、第一枢設部４０１と、第二枢設部４０２と、を有し、
該第一枢設部４０１は、親骨４０の一端に設けられると共に、上ろくろ部材２０の挿入溝２０２１に挿設され、前記上ろくろ部材２０の枢設溝２０２２に枢設される枢軸４０１１を有し、
該第二枢設部４０２は、親骨４０の外周面に設けられ、夫々１つの枢設穴４０２２を有する２つの枢設プレート４０２１を有する請求項６に記載の傘の骨組、を提供する。
【００１６】
本願の請求項９の考案は、各傘骨部材４の受骨４１は、第一枢設部４１１と、第二枢設部４１２と、を有し、
該第一枢設部４１１は、受骨４１の一端に設けられると共に、下ろくろ部材３０の挿入溝３０２１に挿設され、前記下ろくろ部材３０の枢設溝３０２２に枢設される枢軸４１１１を有し、
該第二枢設部４１２は、受骨４１のもう一端に設けられ、前記親骨４０の枢設プレート４０２１の枢設穴４０２２に枢設される枢軸４１２１を有する請求項６に記載の傘の骨組、を提供する。
【００１７】
本願の請求項１０の考案は、前記上ろくろ部材２０は、中棒１に取り付けられると共に、上ろくろ部材２０の底面に当接されるゴムリング２２を有する請求項１ないし請求項９のいずれか１項に記載の傘の骨組、を提供する。
【００１８】
本願の請求項１１の考案は、前記上ろくろ部材２０は、中棒１に取り付けられると共に、前記ゴムリング２２の一側に当接される嵌合スリーブ１０を有する請求項１０に記載の傘の骨組、を提供する。
【００１９】
本願の請求項１２の考案は、着脱可能に中棒１の内部における上端に挿設され、当接部材１１０を有する連接ロッド１１を有し、
該当接部材１１０は、外周面に径方向へ延出され、上ろくろリング２１に当接されるものである請求項１ないし請求項９のいずれか１項に記載の傘の骨組、を提供する。
【００２０】
本願の請求項１３の考案は、検針機をパスできる全体的に非金属材料からなることを特徴とする請求項１ないし請求項１２のいずれか１項に記載の傘の骨組、を提供する。
【００２１】
本願の請求項１４の考案は、全体が可燃材料からなることを特徴とする請求項１ないし請求項１３のいずれか１項に記載の傘の骨組、を提供する。
【考案の効果】
【００２２】
本考案は上記の課題を解決するものであり、傘を閉める時、従来の弾き部材の働きを果たす前記下ろくろリングを締めると、第二スリーブが下ろくろリングを嵌入させ、下ろくろ装置を褶動不能にする。傘を開ける時、下ろくろリングを緩め、下ろくろ装置を上ろくろ装置の下の近傍まで褶動させると、傘生地の張力により下ろくろ装置を下へ褶動させないようにすることができるので、使用上の利便性は非常に高い。
【００２３】
また、本考案に係る傘の骨組の中棒の内部に金属製の弾き部材が設置されていないので、環境保護に好適に分解することができるものである。
さらにガラス繊維（FRP, fiberglass-reinforced plastics）では本考案に係る傘の骨組における中棒の構造を一次成形することができるので、エネルギー及び材料の消費を節約することができる。
なお、本考案に係る傘の骨組は、金属製の弾き部材を有しないので、検針機などの金属探知機をパスできる全体的に非金属材料からなる安全な傘の骨組を提供することができる。
さらに、本考案に係る傘の骨組は金属製の弾き部材を有しないので、素材全体に可燃性材料を用いた、即ち全体が可燃材料からなる傘の骨組を提供することができる。
【図面の簡単な説明】
【００２４】
【図１】本考案に係る傘の骨組の部分分解斜視図である。
【図２】本考案に係る傘の骨組の部分側面断面図である。
【図３】本考案に係る傘の骨組における上ろくろ装置の部分分解斜視図である。
【図４】本考案に係る傘の骨組における上ろくろ装置の部分分解斜視図である。
【図５】本考案に係る傘の骨組における第一スリーブの下面図である。
【図６】本考案に係る傘の骨組における第二スリーブの平面図である。
【図７】本考案に係る傘の骨組における第二スリーブの下面図である。
【図８】本考案に係る傘の骨組における下ろくろリングの部分側面断面図である。
【図９】本考案に係る傘の骨組の使用状態を示す部分側面断面図である。
【図１０】本考案に係る傘の骨組の使用状態を示す他の部分側面断面図である。
【図１１】本考案に係る傘の骨組の使用状態を示す斜視図である。
【考案を実施するための形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１及び図２に示すように、本考案に係る傘の骨組は、中棒１と、上ろくろ装置２と、下ろくろ装置３と、複数の傘骨部材４とを有するものである。
【００２７】
前記中棒１は、滑らかなな表面であるガラス繊維からなる棒状部材である。
【００２８】
さらに図３に示すように、前記上ろくろ装置２は、中棒１の一端における近傍に取り付けられ、上ろくろ部材２０と、上ろくろリング２１とを有する。
【００２９】
前記上ろくろ部材２０は、リング状を呈し、上端と、下端と、上端から延出される結合部２０１と、該結合部２０１の外周面における互いに対向する両側に夫々凸設される２つの係止ブロック２０１１と、周縁に等間隔で配置される複数の傘骨スロット２０２と、を有するものである。
【００３０】
前記上ろくろ部材２０の各傘骨スロット２０２は、交叉に配置される挿入溝２０２１と枢設溝２０２２とを有する。
前記挿入溝２０２１は、該上ろくろ部材２０の上端と下端とに連通されるものであり、前記枢設溝２０２２は、該上ろくろ部材２０の上端に連通されるが、下端に連通されない盲孔である。
【００３１】
図３に示すように、前記上ろくろリング２１は、リング状を呈すると共に、上ろくろ部材２０が枢設溝２０２２の上部の開口を被覆するように、上ろくろ部材２０の上面に取り付けられ、上端と、下端と、該上ろくろリング２１の内周面における互いに対向する両側に夫々凹設される２つの係止溝２１１と、を有する。該２つの係止溝２１１は、夫々逆L字状を呈するものであり、即ち、各係止溝２１１は、縦方向へ延出されると共に、上ろくろリング２１の下端に連通される縦挿入溝２１０１と、径方向へ延出されると共に、縦挿入溝２１０１に連通されるが、上ろくろリング２１の下端に連通されない横挿入溝２１０２と、を有するものである。
【００３２】
組み立て時、上ろくろ部材２０の係止ブロック２０１１を下から上へ前記係止溝２１１の縦挿入溝２１０１に挿入させてから、横挿入溝２１０２に進入させることにより、上ろくろ部材２０と上ろくろリング２１とを結合させることができる。また、前記上ろくろ部材２０は、中棒１に取り付けられると共に、上ろくろ部材２０の底面に当接されるゴムリング２２を有する。
【００３３】
前記下ろくろ装置３は、中棒１のもう一端における近傍に取り付けられ、下ろくろ部材３０と、第一スリーブ３１と、ナット３２と、第二スリーブ３３と、下ろくろリング３４と、を有する。
【００３４】
前記下ろくろ部材３０は、周縁に等間隔で配置される複数の傘骨スロット３０２と、内周面における互いに対向する両側に夫々形成される２つの係止溝３０１とを有するものである。
【００３５】
前記下ろくろ部材３０の各傘骨スロット３０２は、交叉に配置される挿入溝３０２１と枢設溝３０２２とを有する。
前記挿入溝３０２１は、該下ろくろ部材３０の上端と下端とに連通されるものであり、前記枢設溝３０２２は、該下ろくろ部材３０の下端に連通されるが、上端に連通されてないものである。
【００３６】
図４及び図５に示すように、前記第一スリーブ３１は、周縁に環設されると共に、円盤状を呈する阻止部３１１と、該阻止部３１１の一側面に設けられる、下ろくろ部材３０に挿設される結合部３１２とを有するものである。
【００３７】
前記第一スリーブ３１は、２つの係止部３１２１と、該第一スリーブ３１の内周面に等間隔で凸設される４つの嵌合ブロック３１４とを有する。該２つの係止部３１２１は、夫々、第一スリーブ３１の結合部３１２の外周面における互いに対向する両側に形成されると共に、前記係止溝３０１に嵌入され、前端の近傍に形成されるねじ山を有するものである
【００３８】
前記ナット３２は、第一スリーブ３１に取り付けられ、下ろくろ部材３０を第一スリーブ３１の阻止部３１１とナット３２との間に挟持するためのものである。
【００３９】
図４、図６及び図７に示すように、前記第二スリーブ３３は、リング状を呈し、第一スリーブ３１の内部に挿設され、上端と、該上端よりやや大径な下端と、４つの嵌合溝３３１と、２つの係止ブロック３３２と、結合部３３３と、を有するものであり、
【００４０】
前記４つの嵌合溝３３１は、該第二スリーブ３３の上端に等間隔で設けられる、夫々前記嵌合ブロック３１４を嵌合させるためのものである。
前記２つの係止ブロック３３２は、該第二スリーブ３３の外周面に設けられる、夫々前記第一スリーブ３１の貫通穴３１３に挿設されるものである。
前記結合部３３３は、外周面に設けられる外ねじ山と、周縁に形成される複数の凹入部３３３１と、を有する。
【００４１】
図４及び図８に示すように、前記下ろくろリング３４は、リング状を呈し、第二スリーブ３３の結合部３３３を螺入させ、内ねじ山と、段差部３４１とを有する。
前記内ねじ山は、下ろくろリング３４の内周面に設けられる、第二スリーブ３３の結合部３３３の外ねじ山と螺合されるためのものであり、前記段差部３４１は、内周面における後端の近傍に形成される、第二スリーブ３３の結合部３３３を嵌入させるためのものである。
【００４２】
図１乃至図３に示すように、各前記傘骨部材４は、複数の親骨４０と複数の受骨４１とを有する。各該親骨４０は、一端が着脱可能に上ろくろ部材２０の傘骨スロット２０２に枢設されるものであり、各該受骨４１は、一端が着脱可能に下ろくろ部材３０の傘骨スロット３０２に枢設されると共に、もう一端が取外不能に親骨４０に枢設されるものである。
【００４３】
各傘骨部材４の親骨４０は、第一枢設部４０１と、第二枢設部４０２とを有する。
該第一枢設部４０１は、親骨４０の一端に設けられると共に、上ろくろ部材２０の挿入溝２０２１に挿設され、前記上ろくろ部材２０の枢設溝２０２２に枢設される枢軸４０１１を有するものである。前記上ろくろリング２１が前記上ろくろ部材２０と結合され、枢設溝２０２２の上部を被覆し、枢設溝２０２２の開口を封止すれば、親骨４０の第一枢設部４０１を上ろくろ部材２０の傘骨スロット２０２からの脱落を防止することができる。
該第二枢設部４０２は、親骨４０の外周面に設けられ、夫々１つの枢設穴４０２２を有する２つの枢設プレート４０２１を有するものである。
【００４４】
図１、図２、及び図４に示すように、各傘骨部材４の受骨４１は、第一枢設部４１１と、第二枢設部４１２とを有する。
該第一枢設部４１１は、受骨４１の一端に設けられると共に、下ろくろ部材３０の挿入溝３０２１に挿設され、前記下ろくろ部材３０の枢設溝３０２２に枢設される枢軸４１１１を有するものである。
前記下ろくろ部材３０が前記第一スリーブ３１の阻止部３１１に当接すると、下ろくろ部材３０の枢設溝３０２２の下部の開口が阻止部３１１に封止されるので、下ろくろ部材３０の枢設溝３０２２が枢設溝３０２２から脱落することを防止することができる。
該第二枢設部４１２は、受骨４１のもう一端に設けられ、前記親骨４０の枢設プレート４０２１の枢設穴４０２２に枢設される枢軸４１２１を有するものである。
【００４５】
図１に示すように、本考案に係る傘の骨組は、さらに着脱可能に中棒１の内部における上端に挿設され、当接部材１１０を有する連接ロッド１１を有してもよい。該当接部材１１０は、外周面に径方向へ延出され、上ろくろリング２１に当接されるので、例えば外観の装飾のため、該連接ロッド１１に小型の中棒装飾部材を取り付けてもかまわない。
【００４６】
図２に示すように、上ろくろ装置２と、下ろくろ装置３と、複数の傘骨部材４との組立の後、中棒１を上ろくろ装置２と下ろくろ装置３とに貫設させてもよい。また、前記上ろくろ部材２０は、中棒１に取り付けられると共に、前記ゴムリング２２の一側に当接される嵌合スリーブ１０を有してもよい。
【００４７】
図１１に示すように、本考案に係る傘の骨組を用いる傘を使用する時、下ろくろ装置３を前記嵌合スリーブ１０に当接する箇所まで中棒１の上端に向かって褶動させると、各傘骨部材４の親骨４０及び受骨４１が上ろくろ部材２０及び下ろくろ部材において回転しながら、傘生地５を展開させる。該展開した傘生地５の張力により、下ろくろ装置３を下へ褶動させないようにすることができるので、展開状態を維持することができる。
【００４８】
図９及び図１０に示すように、傘を閉める時、使用者は前記下ろくろ装置３を下へ褶動させてから、下ろくろリング３４を締めることにより、前記段差部３４１の内周面が前記第二スリーブ３３の下部を締め、第二スリーブ３３の結合部３３３を中棒１に固定させることができるので、傘生地５及び傘骨部材４を閉めることができる。
【００４９】
再び傘を開けるようとする時、前記下ろくろリング３４を緩めば、前記第二スリーブ３３が解され、固定状態を解除し、下ろくろ装置３を褶動可能にすることができるので、下ろくろ装置３を褶動すれば、上述したように傘を開けることができる。
【００５０】
なお、本考案に係る傘の骨組を用いる傘の使用中、強風にあった時、下ろくろ装置３を上ろくろ装置２からやや離れた箇所固定するように下ろくろリング３４を締めれば、強風による傘に対する損害を避けるように、傘骨部材４を半開閉状態にすることができる。
【産業上の利用可能性】
【００５１】
本考案は上記の構成を有するので、上弾き部材及び下弾き部材が不要となり、組立作業を大幅に簡易化することができるのみならず、本考案に係る傘の骨組を用いた傘は従来の傘より簡単に分解しリサイクルすることができることから、製造上のエネルギーの節約及び傘の骨組の寿命を図ることができる。
【符号の説明】
【００５２】
１・・・・・・中棒
２・・・・・・上ろくろ装置
３・・・・・・下ろくろ装置
４・・・・・・傘骨部材
５・・・・・・傘生地
１０・・・・・嵌合スリーブ
１１・・・・・連接ロッド
２０・・・・・上ろくろ部材
２１・・・・・上ろくろリング
２２・・・・・ゴムリング
３０・・・・・下ろくろ部材
３１・・・・・第一スリーブ
３２・・・・・ナット
３３・・・・・第二スリーブ
３４・・・・・下ろくろリング
４０・・・・・親骨
４１・・・・・受骨
１１０・・・・当接部材
２０１・・・・結合部
２０２・・・・傘骨スロット
２１１・・・・係止溝
３０１・・・・係止溝
３０２・・・・傘骨スロット
３１１・・・・阻止部
３１２・・・・結合部
３１３・・・・貫通穴
３１４・・・・嵌合ブロック
３３１・・・・嵌合溝
３３２・・・・係止ブロック
３３３・・・・結合部
３４１・・・・段差部
４０１・・・・枢設部
４０２・・・・枢設部
４１１・・・・枢設部
４１２・・・・枢設部
２０１１・・・係止ブロック
２０２１・・・挿入溝
２０２２・・・枢設溝
２１０１・・・縦挿入溝
２１０２・・・横挿入溝
３０２１・・・挿入溝
３０２２・・・枢設溝
３１２１・・・係止部
３３３１・・・凹入部
４０１１・・・枢軸
４０２１・・・枢設プレート
４０２２・・・枢設穴
４１１１・・・枢軸
４１２１・・・枢軸
【図１】
0003166355.tif 000003
【図２】
0003166355.tif 000004
【図３】
0003166355.tif 000005
【図４】
0003166355.tif 000006
【図５】
0003166355.tif 000007
【図６】
0003166355.tif 000008
【図７】
0003166355.tif 000009
【図８】
0003166355.tif 000010
【図９】
0003166355.tif 000011
【図１０】
0003166355.tif 000012
【図１１】
0003166355.tif 000013